(57)【特許請求の範囲】
【請求項１】
システムが、１つ以上のタグ集合体を維持する方法であって、
システムが、第１ユーザーによって提出された検索クエリーに応答して、第１検索結果を前記第１ユーザーに提供するステップと、
システムが、検索結果とタグがタグ付けされている他のユーザーの個人タグ集合体に基づいて、前記第１検索結果のためのタグ提案である第１タグを前記第１ユーザーに提供するステップと、
システムが、第１検索結果を第１タグとタグ付けした前記第１ユーザーを識別したことに応答して、前記第１タグに対して第１個人タグ集合体を生成するステップと、
システムが、前記第１検索結果を、第１タグ付き検索結果として、前記第１個人タグ集合体に編成するステップと、
システムが、前記第１検索結果を、前記第１タグに関連付けられた第１公開タグ集合体に編成するステップであって、前記第１公開タグ集合体が、１人以上のユーザーによって前記第１タグとタグ付けされた１つ以上の検索結果を含むステップと、
を含む、方法。
【請求項２】
請求項１に記載の方法であって、
システムが、第２検索結果を前記第１タグとタグ付けした前記第１ユーザーを識別したことに応答して、前記第２検索結果を、第２タグ付き検索結果として、前記第１個人タグ集合体に編成するステップを含む、方法。
【請求項３】
請求項１に記載の方法であって、
システムが、第２検索結果を第２タグとタグ付けした第１ユーザーを識別したことに応答して、前記第２タグに対して第２個人タグ集合体を生成するステップと、
前記第２検索結果を、第２タグ付き検索結果として、前記第２個人タグ集合体に編成するステップと、
を含む、方法。
【請求項４】
請求項１〜３のいずれか一項に記載の方法であって、
システムが、個人タグ集合体インターフェースを通じて、前記第１ユーザーに、１つ以上の個人タグ集合体へのアクセスを与えるステップと、
システムが、前記個人タグ集合体インターフェースを通じて、前記第１個人タグ集合体と、前記第１個人タグ集合体内にタグ付き検索結果の数に対応する第１タグ・カウントとを提供するステップと、
を含む、方法。
【請求項５】
請求項１〜４のいずれか一項に記載の方法を実行するためのプログラム。
【請求項６】
請求項１〜４のいずれか一項に記載の方法を実行するためのプログラムを記録した記録媒体。
【請求項７】
一つ以上のプロセッサと、前記一つ以上のプロセッサで実行されたときに、請求項１〜５のいずれか一項に記載の方法を実行するプログラムを記録した一つ以上のメモリを有する、１つ以上のタグ集合体へアクセスするシステム。
【発明の詳細な説明】
【背景技術】
【０００１】
[0001]  多くのユーザーは、検索エンジン（例えば、ウェブサイト、電子メール・サービス、ソーシャル・ネットワーク、データーベース、画像共有サービス、アプリ・ストア、マーケットプレース、ファイル・システム、および／またはその他のコンテンツ・ソースに付随する検索機能）によって露出されるコンテンツを発見、調査、および／または対話処理する。一例では、ユーザーは、電子メール・アプリケーションの検索機能を使用して、特定の電子メールを検索することができる。他の例では、ユーザーが、ソーシャル・ネットワークを通じて、友人によって共有される写真、ビデオ、および／またはその他のユーザー・コンテンツを検索することもできる。他の例では、ユーザーが、検索エンジン・アプリまたは検索ウェブサイトというような検索エンジンによって、画像、ビデオ、記事、ウェブサイト、および／または広範囲におよぶ種々のその他のコンテンツというような、コンテンツを検索することもできる。このように、検索エンジンは、ユーザーによって提出された検索クエリーに関連する可能性があるコンテンツに対応する検索結果を提供することができる。ユーザーは、１つ以上のデバイスを使用して、多数の検索セッションにわたって検索タスクを実行することができる（例えば、ユーザーは、月曜日の朝には仕事用ラップトップを使用して旅行の目的地を検索することができ、ユーザーは月曜日の夜にはタブレット・デバイスを使用して行楽地を検索することができ、ユーザーは木曜日の昼食時には移動体電話機を使用して観光情報を検索することができる等）。検索エンジンは検索クエリーや検索結果を後のアクセスのために適正に保持および／または編成できないので、ユーザーが手作業で検索結果を保存および編成しなければならない場合があり、そうしないと、ユーザーは検索結果の痕跡を見失うおそれがある（例えば、土曜日に、ユーザーは木曜日からの特定の観光検索結果を見ることを望むかもしれないが、ユーザーは、検索エンジンがこの特定の観光検索結果を提供する結果となった正確な検索クエリーを思い出せないことがあり得る）。個人的な消費のためにいずれのデバイスからであっても検索結果を保存し呼び出すことができないと、および／またはこのような検索結果をユーザー間で共有することができないと、ユーザー体験の減少を招くおそれがある。
【発明の概要】
【課題を解決するための手段】
【０００２】
[0002]  この摘要は、詳細な説明において以下で更に説明する概念から選択したものを、簡略化した形態で紹介するために設けられている。この摘要は、特許請求する主題の主要な特徴や必須の特徴を特定することを意図するのではなく、特許請求する主題の範囲を限定するために使用されることを意図するのでもない。 
【０００３】
[0003]  本明細書では、とりわけ、検索結果にタグ付けし、タグ付けした検索結果をタグ集合体に編成し、タグ集合体を維持し、および／またはタグ付け検索結果に基づいて目標コンテンツを提供するための１つ以上のシステムおよび／または技法を提供する。検索結果は、画像、ソーシャル・ネットワーク・ポスト、データーベース・エントリー、ＵＲＬ、ウェブサイト、ビデオ、記事、ファイル、電子メール、ソーシャル・ネットワーク・プロファイル、マーケットプレースを通じて購入する品目、および／またはその他の種々のタイプのコンテンツというようなコンテンツを検索するユーザーに関連する多種多様なコンテンツに対応するのであってもよい。検索結果は、ウェブ検索エンジン、ファイル検索機能、ソーシャル・ネットワーク検索機能、電子メール検索機能、および／または検索機能を提供するその他のインターフェースというような、種々のタイプのインターフェースと関連付けることができる。
【０００４】
[0004]  検索結果を１つ以上のタグ集合体に編成するある実施形態では、第１検索結果に関連するタグ・アクション(tag action)を受けることができる。このタグ・アクションは、第１ユーザーによって示された第１タグに対応することができる。一例では、第１ユーザーが「旅行の目的地」に対する検索クエリーを提出したことにしてもよい。この検索クエリーに関連する可能性がある種々の検索結果が第１ユーザーに提供されているであろう。例えば、第１検索結果およびタグ提案(tag suggestion)が提供されても良い（例えば、カンクン・ウェブサイトＵＲＬ、および#BestCancunVacationSiteというタグ提案が第１ユーザーに提供されたのであってもよい。第１ユーザーは、１クリック・ユーザー入力によってというようにして、このタグ提案と対話処理することによって、第１タグを指示することができる（例えば、第１ユーザーは、１回のタッチ入力、１回のマウス・クリック入力、１つの音声コマンド、１つのキーボード入力等のような１回のユーザー入力を利用して、第１検索結果のタグ付け(tagging)を呼び出すことができる（例えば、#BestCancunVacationSiteというタグ提案によって））。他の例では、第１ユーザーが、タグ作成インターフェースによって、第１タグを作成したのでもよい（例えば、第１ユーザーが#VacationIdeasタグを作成するのでもよい）。このように、第１検索結果にタグ付けして、第１タグ付き検索結果を作成することができる。一例では、第１タグ付き検索結果を、第１タグに対応する第１個人タグ集合体に編成することができる（例えば、第１ユーザーによる任意のデバイス、ブラウザー、および／またはアプリケーションからの後のアクセスのために、１つ以上のタグ付き検索結果および第１タグ付き検索結果が Vacationldeaspersonalタグ集合体に編成されるように、第１ユーザーが、既に１つ以上の検索結果を#VacationIdeasとタグ付けし終えている）。他の例では、第１タグ付き検索結果を、第１タグに対応する第１公開タグ集合体に編成することもできる（例えば、ユーザーによる任意のデバイス、ブラウザー、および／またはアプリケーションからの後のアクセスのために、タグ付き検索結果および第１タグ付き検索結果がVacationldeas公開タグ集合体に編成されるように、１人以上のユーザーが、既に検索結果を#VacationIdeasタグとタグ付けし終えている）。
【０００５】
[0005]  第１検索クエリーを受けたことに応答して、検索結果のタグ付けを容易にするある実施形態では（例えば、検索クエリーに基づいて検索結果を提供する、および／または＃のようなタグ識別子によって識別されるタグ検索に基づいてタグ付き検索結果を提供するように構成されたモード検索インターフェースを通じて）、第１検索クエリーに基づいて１組の検索結果を提供することができる。この１組の検索結果は、第１検索クエリーに関連がある可能性がある第１検索結果および／または他の検索結果を含むことができる。一例では、第１ユーザーが、タグ作成インターフェースを通じて、第１検索結果に対して第１タグを作成することができる。他の例では、第１検索結果に対する１つ以上のタグ提案を、第１ユーザーによる選択のために、提供することができる。タグ提案は、第１検索結果にタグ付けするために第１ユーザーによって選択されるとよい第１タグを指定することができる（例えば、第１タグは、第１検索結果をタグ付けするために他のユーザーによって使用されるタグに対応してもよい）。第１ユーザーが未だ第１検索結果を第１タグとタグ付けしていない場合、タグ提案をオフ状態で提供することができる（例えば、強調しない状態）。第１ユーザーが既に第１検索結果を第１タグとタグ付けしてある場合、タグ提案をオン状態で提供することができる（例えば、強調した状態）。一例では、検索結果のタグ付けを容易にするために、第１検索結果および／または他の検索結果のために多数のタグ提案を提供することもできる。第１ユーザーによる、タグ提案に関連する１クリック・ユーザー入力（例えば、１回のタッチ入力、１回のマウス入力、１回のキーボード入力、および／または種々のその他の比較的単純な入力）を受けたことに応答して、第１検索結果を第１タグとタグ付けして、第１タグ付き検索結果を作成することができる。
【０００６】
[0006]  第１タグ付き検索結果は、第１タグに関連付けられた個人タグ集合体および／または公開タグ集合体に編成することができる。例えば、第１ユーザーがタグ付き検索結果を個人タグ集合体、公開タグ集合体、または双方のどれに編成することを優先するかを示すユーザー・タグ付けモデルを評価して、第１タグ付き検索結果をどのように編成するか決定することができる。このように、第１タグ付き検索結果は、第１タグ集合体を通じて第１ユーザーによって個人的にアクセスされる、および／または第１公開タグ集合体を通じて他のユーザーと共有されることが可能になる。第１検索結果にタグ付けしたことに応答して、タグ提案をオフ状態からオン状態（例えば、強調状態）に移行させることができる。この例では、他のユーザーがこのような検索結果にタグ付けするのと同様に第１ユーザーが検索結果をタグ付けしたか否かに基づいて、第１ユーザーのタグ付け精度評価を維持することができる。このように、タグ付け精度評価に基づいて、タグ付けバッジを第１ユーザーに授与することができる。
【０００７】
[0007]  １つ以上のタグ集合体を維持するある実施形態では、第１検索結果を第１タグとタグ付けした第１ユーザーを識別したことに応答して、第１個人タグ集合体を第１タグに対して生成することができる。第１ユーザーが既に第１タグに対する第１個人タグ集合体と関連付けられている場合、第１個人タグ集合体を使用のために選択することができ、そうでない場合、第１ユーザーによって第１タグとタグ付けされた１つ以上のタグ付け検索結果の格納のために、第１個人タグ集合体を作成し指定することができる。このように、第１検索結果は、第１ユーザーによる後のアクセスのために、第１タグ付き検索結果として、第１個人タグ集合体に編成することができる（例えば、第１ユーザーが実行中のウェブサイト検索の結果を#SummerGetFitタグとタグ付けしたことに応答して、タグ付けされた実行中のウェブサイト検索の結果を、SummerGetFit個人タグ集合体に編成することができる。SummerGetFit個人タグ集合体は、第１ユーザーによって#SummerGetFitタグとタグ付けされたタグ付き検索結果を格納するために使用される）。第１個人タグ集合体にアクセスする例では、第１ユーザーが第１タグ検索#SummerGetFitを提出したことに応答して、#SummerGetFitタグとタグ付けされた、タグ付き実行中ウェブサイト検索(tagged running website search result)の結果および／または他のタグ付き検索結果を、任意のデバイス、ブラウザー、および／またはアプリケーション上において第１ユーザーに提供することができる（例えば、第１ユーザーは、ラップトップ上で実行中のウェブサイト検索の結果にタグ付けすることができ、後にタブレット・デバイスから、タグ付けした実行中ウェブサイト検索の結果にアクセスすることができる）。
【０００８】
[0008]  一例では、第１タグ付き検索結果を第１公開タグ集合体に編成することができる。第１公開タグ集合体は、１人以上のユーザーによって第１タグとタグ付けされた検索結果を格納するために使用される。例えば、SummerGetFit公開タグ集合体は、第２ユーザーによって#SummerGetFitタグとタグ付けされた、タグ付き実行中トレール画像検索結果、第３ユーザーによって#SummerGetFitタグとタグ付けされたタグ付き体操ビデオ検索結果、第４ユーザーによって#SummerGetFitタグとタグ付けされたタグ付きサッカー・クラブ・ウェブサイト検索結果、および／または他のユーザーによって#SummerGetFitタグとタグ付けされた他のタグ付き検索結果を有することができる。このように、ユーザーがタグ検索#SummerGetFitを提出したことに応答して、第１公開タグ集合体内にあるタグ付き検索結果を提供することができる。こうして、ユーザーは、他のユーザーによってタグ付けされたコンテンツを調査することができる。
【０００９】
[0009]  タグ付き検索結果に基づいてユーザーに目標コンテンツを提供するある実施形態では、１組の個人タグ集合体を第１ユーザーのために維持することができる。この１組の個人タグ集合体は、第１ユーザーによって第１タグとタグ付けされた１つ以上のタグ付き検索結果を含む第１個人タグ集合体を含むことができる（例えば、タグ付き実行中ウェブサイト検索結果、タグ付きバスケットボール画像検索結果、タグ付き実行中グループ・ソーシャル・ネットワーク・ポスト検索結果、タグ付き野球クラブ／ソーシャル・プロファイル検索結果、および／または第１ユーザーによって#SummerGetFitタグとタグ付けされた種々の他の検索結果）。一例では、１組の個人タグ集合体は、１つ以上の追加の個人タグ集合体（例えば、Basementldeas個人タグ集合体、#CarpetColors個人タグ集合体、#FunnyFriendPosts個人タグ集合体等）を含むこともできる。第１ユーザーに関連する種々の情報に基づいて、１つ以上の興味深い話題（例えば、興味深い自宅改築の話題、興味深い気質(humor)の話題、興味深い健康の話題等）を第１ユーザーのために識別することができる。一例では、興味深い第１の話題（例えば、興味深い健康の話題）は、#SummerGetFitタグから導き出すことができる。他の例では、#SummerGetFitタグとタグ付けされたタグ付き検索結果のコンテンツから、興味深い第２の話題（例えば、興味深いランニング・コースの話題）を導き出すことができる。他の例では、#CarpetColorタグおよび#BasementIdeasタグというような、１つ以上のタグを集めることによって、第３の興味深い話題（例えば、興味深い自宅改築の話題）を導き出すことができる。他の例では、多数のタグ集合体からのタグ付き検索結果のコンテンツを集計することから、第４の興味深い話題（例えば、地下浴室計画）を導き出すことができる。このように、１つ以上の興味深い話題に基づいて、目標コンテンツ（例えば、地下浴室の写真、日曜大工改築ビデオ、運動スタジオ・クラスの広告等）を第１ユーザーに提供することができる。
【００１０】
[0010]   以上の目的および関係する目的の遂行のために、以下の説明および添付図面は、ある種の例示的な態様および実施態様を明記する。これらは、１つ以上の態様を採用することができる種々の方法の内少数を示すに過ぎない。本開示のその他の態様、利点、および新規な特徴は、以下の詳細な説明を添付図面と併せて検討することによって、明白になるであろう。
【図面の簡単な説明】
【００１１】
【図１】図１は、検索結果を１つ以上のタグ集合体に編成する方法例を示す流れ図である。
【図２Ａ】図２Ａは、タグ付けに関係するデーターを維持するためのシステム例を示すコンポーネント・ブロック図である。
【図２Ｂ】図２Ｂは、検索結果を１つ以上のタグ集合体に編成するためのシステム例を示すコンポーネント・ブロック図である。
【図３】図３は、１組の個人タグ集合体にアクセスを与えるためのシステム例を示すコンポーネント・ブロック図である。
【図４】図４は、１組の公開タグ集合体にアクセスを与えるためのシステム例を示すコンポーネント・ブロック図である。
【図５】図５は、検索結果のタグ付けを容易にする方法例を示す流れ図である。
【図６】図６は、検索結果のタグ付けを容易にするためのシステム例を示すコンポーネント・ブロック図である。
【図７】図７は、検索結果のタグ付けを容易にするためのシステム例を示すコンポーネント・ブロック図である。
【図８】図８は、第１ユーザー・プロファイルの一例の図である。
【図９】図９は、１つ以上のタグ集合体を維持する方法例を示す流れ図である。
【図１０】図１０は、１つ以上の個人タグ集合体にアクセスを与えるためのシステム例を示すコンポーネント・ブロック図である。
【図１１】図１１は、１つ以上の公開タグ集合体にアクセスを与えるシステム例を示すコンポーネント・ブロック図である。
【図１２】図１２は、視覚レイアウトにしたがって１つ以上のタグ付き検索結果を表示するためのシステム例を示すコンポーネント・ブロック図である。
【図１３】図１３は、タグ付き検索結果に基づいて、目標コンテンツをユーザーに提供する方法例を示す流れ図である。
【図１４】図１４は、第１ユーザーに関連する１組の興味深い話題を識別するためのシステム例を示すコンポーネント・ブロック図である。
【図１５】図１５は、タグ付き検索結果に基づいて、目標コンテンツをユーザーに提供するためのシステム例を示すコンポーネント・ブロック図である。
【図１６】図１６は、本明細書において明記する提供(provisions)の内１つ以上を具体化するように構成されたプロセッサー実行可能命令を含むことができるコンピューター読み取り可能媒体例の図である。
【図１７】図１７は、本明細書において明記する提供(provisions)の内１つ以上を実現することができる計算環境例を示す。
【発明を実施するための形態】
【００１２】
[0029]  これより、図面を参照しながら、特許請求する主題について説明する。図面では、同様のエレメントを指すために全体的に同様の参照番号が全体を通じて使用される。以下の記載では、説明の目的に限って、特許請求する主題の理解を得るために、多数の具体的な詳細を明記する。しかしながら、特許請求する主題は、これらの具体的な詳細がなくても実施できることは明白であろう。他方で、特許請求する主題を説明し易くするために、構造およびデバイスをブロック図形態で示すこととする。
【００１３】
[0030]  検索結果を１つ以上のタグ集合体に編成する実施形態を、図１の方法例１００によって示す。１０２において、本方法が開始する。検索結果は、ソーシャル・ネットワーク・コンテンツ（例えば、ソーシャル・ネットワークによって公開されるマルチメディア・コンテンツ、ソーシャル・ネットワーク・プロファイル、ソーシャル・ネットワーク・ポスト、または検索機能によって識別することができる他のソーシャル・ネットワーク・コンテンツ）、ウェブサイト（例えば、検索エンジンによって検索結果として提供されるウェブサイトへのＵＲＬ）、画像（例えば、画像共有サービスの検索機能によって提供される画像）、ビデオ、ユーザーが作成したコンテンツ、ＵＲＬ、マルチメディア・コンテンツ、および／または種々の他のタイプのコンテンツというような、種々のタイプのコンテンツを含むことができる。
【００１４】
[0031]  １０４において、第１検索結果に関連するタグ・アクションを受けることができる。タグ・アクションは、第１ユーザーによって示される第１タグに対応することができる。タグ・アクションを受ける一例では、第１ユーザー（例えば、「地元のアイスクリーム店」）から検索インターフェース（例えば、ファイル・システム、オフィス生産性アプリケーション、マップ・アプリケーション、検索アプリケーション、検索ウェブサイト、電子メール・アプリケーション、ウェブサイト、ソーシャル・ネットワーク等に付随する検索インターフェース）を通じて検索クエリーを受けるのでもよい。検索クエリー（例えば、画像、ビデオ、ソーシャル・ネットワーク・ポスト、ソーシャル・ネットワーク・プロファイル、運転方向、地図、電子メール、ファイル、マルチメディア・コンテンツ、記事、ＵＲＬ、ウェブサイト、購入用消費者向け商品、購入用アプリケーション等）に基づいて、１組の検索結果を提供することができる。１組の検索結果は、第１検索結果を含むことができる。一例では、ユーザーが、タグ提案に関連する１クリック・ユーザー入力を利用してタグ・アクションを実行できるように、１つ以上のタグ提案を第１検索結果に対して提供することができる（例えば、タグ提案は、１人以上のユーザーが第１検索結果を第１タグとタグ付けしたことに基づくこともできる）。第１ユーザーが既に第１検索結果をタグ提案とタグ付けし終えている場合、このタグ提案をオン状態（例えば、強調）で表示することができ、そうでない場合、タグ提案をオフ状態（例えば、強調しない）で表示することができる。他の例では、タグ・アクションが、第１ユーザーによって作成されたタグに対応するように、第１検索結果のためにタグ作成インターフェースを設けることができる。このように、タグ・アクションは、第１タグを含む（例えば、第１ユーザーによって入力された１クリック・ユーザー入力によって呼び出されたタグ提案、または第１ユーザーによって作成されたタグに対応する）。１０６において、第１検索結果を第１タグとタグ付けして、第１タグ付け検索結果を作成する（例えば、第１ユーザーが、アイス・クリーム・ウェブサイト検索結果に対して、#Yummy Treatsタグのタグ提案を選択したとしてもよい。第１ユーザーは、アイス・クリーム・ウェブサイト検索結果に対して、タグ作成インターフェースを通じて#FavoriteDesertタグを作成したとしてもよい等）。
【００１５】
[0032]  １０８において、第１タグ付き検索結果を、第１タグに対応する第１タグ集合体に編成する。一例では、第１タグ付き検索結果は、第１ユーザーによって第１タグとタグ付けされた１つ以上のタグ付き検索結果を含む第１個人タグ集合体に編成される（例えば、タグ付きカップケーキ画像検索結果、タグ付きワイナリー・ウェブサイト検索、および／または第１ユーザーによって#Yummy Treatsタグとタグ付けされた他のタグ付き検索結果）。このように、第１ユーザーは、第１タグ検索#Yummy Treatsを実行することによって、任意のデバイス、アプリケーション、および／またはブラウザーから、第１個人タグ集合体内にあるタグ付き検索結果にアクセスする（例えば、リコールする）ことができる（例えば、第１タグ付き検索結果が、第１ユーザーによってラップトップ・デバイスを介してタグ付けされたのでもよく、後に第１ユーザーによって移動体電話機を介してアクセスされるのでもよい）。
【００１６】
[0033]  他の例では、第１タグ付き検索結果は、１人以上のユーザーによって第１タグとタグ付けされた１つ以上のタグ付き検索結果を含む第１公開タグ集合体に編成される（例えば、第１タグ付き検索結果は、Yummy Treats公開タグ集合体に編成されてもよく、この中には、１人以上のユーザーが既に#Yummy Treatsとタグ付けされたタグ付き検索結果を投稿しているかもしれず、ユーザーがタグ付き検索結果を発見および／または調査するために公に入手可能であってもよい）。第１公開タグ集合体には、第１公開タグ集合体に投稿した１人以上のユーザー、および／またはそのように投稿していないユーザーによってアクセス可能であってもよく、ユーザーによる新たな検索結果および／またはコンテンツの調査を促進すればよい。例えば、第２ユーザー（例えば、検索結果を#Yummy Treatsとタグ付けしたことはないが、近日中にパーティを計画しているのでもよく、他のユーザーからアイデアを発掘している）が、他のユーザーが#Yummy Treatsとタグ付けしたタグ付き検索結果を発見するために、タグ検索#Yummy Treatsを提出することもできる。このように、第１公開タグ集合体を第２ユーザーに提供することもできる。１１０において、本方法は終了する。
【００１７】
[0034]  図２Ａは、タグ付けに関係するデーター（例えば、ユーザー・タグ・アクセス可能性についてのデーター・モデル）を維持するために構成されたシステム２５０の一例を示す。システム２５０は、タグ・データーベース２６０（例えば、および／または他のデーター記憶構造）を含むことができる。タグ・データーベース２６０は、タグ付き検索結果のような、コンテンツにタグ付けすることに関係する種々の情報を格納するように構成することができる（例えば、データーベース、テーブル、方式、格納された手順、および／またはタグ付きコンテンツに関係する情報を編成するための他の技法、メカニズム等を実現するデーター・タグ付けモデルにしたがって）。一例では、タグ・データーベース２６０は、ユーザーによってコンテンツにタグ付けするために使用される１つ以上のタグに関連するタグ情報２５２を格納することができる。他の例では、タグ・データーベース２６０は、コンテンツにタグ付けしたユーザーおよび／またはタグ付きコンテンツにアクセスしたユーザーに関連するユーザー情報２５４を格納することもできる。他の例では、タグ・データーベース２６０は、タグ付き検索結果（例えば、タグ情報２５２内にあるタグを使用して、ユーザー情報２５４内にあるユーザーによってタグ付けされた）のような、コンテンツに関連するコンテンツ情報２５６を格納することができる。他の例では、タグ・データーベース２６０は、コンテンツ情報２５６内においてコンテンツを識別するためにユーザーによって提出されたクエリーに対応するクエリー情報２５８を格納することができる。このように、同じユーザーおよび／または異なるユーザーによって提出された検索クエリーに関係する（例えば、クエリーから得られた）コンテンツにタグ付けするために同じユーザーによって使用されたタグに関係する情報を、タグ・データーベース２６０によって格納することができる（例えば、２５２、２５４、２５６、および／または２５８内にある情報に対応するデーター、および／または２５２、２５４、２５６、および／または２５８内にある情報間の相互関係に対応するデーターを、タグ・データーベース内に格納することができる）。
【００１８】
[0035]  システム２５０は、タグ・アクセス・サービス２６２および／またはユーザー体験レイヤー２６４を含むことができる。一例では、タグ・アクセス・サービス２６２は、データー（例えば、クエリー）をタグ・データーベース２６０に提出する、および／またはタグ・データーベース２６０からデーターを引き出すように構成されたデーターベース・プロキシー、ウェブ・サービス、または他の機能コンポーネントを含むことができる。このように、タグ・アクセス・サービス２６２は、ユーザー体験レイヤー２６４に、タグ・データーベース２６０へのアクセスを与えることができる。ユーザー体験レイヤー２６４は、データー・タグ付けモデルの視覚表現（例えば、タグ情報２５２、ユーザー情報２５４、コンテンツ情報２５６、および／またはクエリー情報２５８の可視化）を供給するように構成することができる。ユーザー体験レイヤー２６４は、データー・タグ付けモデルに対する対話型ユーザー・インターフェースを提供するように構成することができる（例えば、タグ・アクセス・サービス２６２を通じて）。このように、ユーザーは、データー・タグ付けモデルと、対話型ユーザー・インターフェースを通じて対話処理することができる（例えば、ユーザーは、加入動作(join operation)のようなデーターベース動作を調査する、編成する、実行する、および／またはタグ情報２５２、ユーザー情報２５４、コンテンツ情報２５６、および／またはクエリー情報２５８を修正することができる）。
【００１９】
[0036]  図２Ｂは、検索結果を１つ以上のタグ集合体に編成するために構成されたシステム２００の一例を示す。システム２００は、第１デバイス（例えば、ラップトップ）を介して第１ユーザーにアクセス可能な検索アプリ２０２に付随するタグ付けコンポーネント２１２を含むことができる。一例では、第１ユーザーは、「パリまでの移動手段」という検索クエリー２０４を提出することができる。検索クエリー２０４に基づいて、地元のパリ・ニュース記事検索結果、パリHappy Hotel検索結果、タワー検索結果２０６の履歴、パリ・タワー画像検索結果等というような、１組の検索結果を提供することができる。１組の検索結果内にあるそれぞれの検索結果に対して、タグ作成インターフェース２１０のような、タグ作成インターフェースを設けることもできる。タグ作成インターフェース２１０を通じて、第１ユーザーはタワー検索結果２０６の履歴にタグ付けするためにタグを作成することができる。一例では、検索結果に対してタグ提案を提示することができる。例えば、#ParisNewsというタグ提案を、地元パリ・ニュース記事検索結果に対して提示することができる（例えば、地元パリ・ニュース記事検索結果を #ParisNewsタグとタグ付けした１人以上のユーザーに基づいて）。パリHappy Hotel検索結果にタグ付けしたユーザーはいないので、パリHappy Hotel検索結果に対して、タグ提案を提示しなくてもよい。#BucketListというタグ提案をパリ・タワー画像検索結果に対して提示することができる（例えば、パリ・タワー画像検索結果に#BucketListタグとタグ付けした１人以上のユーザーに基づいて）。#SightSeeingというタグ提案２０８を、タワー検索結果２０６の履歴に対して提示することができる（例えば、タワー検索結果２０６の履歴を#SightSeeingタグとタグ付けした１人以上のユーザーに基づいて）。
【００２０】
[0037]  一例では、#SightSeeingというタグ提案２０８に関連するタグ・アクションを、タグ付けコンポーネント２１２によって受けることができる。例えば、第１ユーザーが１クリック・ユーザー入力（例えば、１回のタッチ入力、１回のマウス・クリック、１回のキーボード入力等）を使用してこのタグ・アクションを呼び出すことができる。１クリック・ユーザー入力は、メニューのナビゲーションによってというような多数回のユーザー入力および／または複雑なユーザー入力を与える必要なく、第１ユーザーに、タワー検索結果２０６の履歴を#SightSeeingタグとタグ付けさせることができる。このように、タグ付けコンポーネント２１２は、タワー検索結果２０６の履歴を#SightSeeingタグとタグ付けして、タワー検索結果のタグ付き履歴（例えば、タワー検索結果２１８のタグ付き履歴、および／またはタワー検索結果２２０のタグ付き履歴）を作成することができる。一例では、タグ付けコンポーネント２１２は、タワー検索結果２１８のタグ付き履歴を、第１ユーザーによって#SightSeeingタグとタグ付けされたタグ付き検索結果の格納のために指定されたSightSeeing個人タグ集合体２１４に編成することができる（例えば、タグ付けコンポーネント２１２は、#SightSeeingタグに関して第１ユーザーに個人タグ集合体がないタグ・アクションに基づいて、SightSeeing個人タグ集合体２１４を作成することができ、またはタグ付けコンポーネント２１２は、SightSeeing個人タグ集合体２１４が既に存在する場合、SightSeeing個人タグ集合体２１４内に、タワー検索結果２１８のタグ付き履歴を含ませることができる）。このように、第１ユーザーは、任意のデバイス、ブラウザー、および／またはアプリケーションから、SightSeeing個人タグ集合体２１４を通じて、タワー検索結果２１８のタグ付き履歴にアクセスすることができる。他の例では、タグ付けコンポーネント２１２は、タワー検索結果２２０のタグ付き履歴を、１人以上のユーザーによって#SightSeeingタグとのタグ付き検索結果の格納のために指定されたSightSeeing公開タグ集合体２１６に編成することができる（例えば、第２ユーザーが、パリ・タワー画像検索結果を#SightSeeingタグとタグ付けしたのでもよく、第３ユーザーが最良観光名所ビデオ検索結果を#SightSeeingタグとタグ付けしたのでもよい等）。このように、１人以上のユーザーが、SightSeeing公開タグ集合体２１６にアクセスして、種々の（例えば、#SightSeeingタグとタグ付けされた）タグ付き検索結果を発見および／または調査することができる。
【００２１】
[0038]  図３は、１組の個人タグ集合体３０２へのアクセスを与えるためのシステム３００の一例を示す。システム３００は、タグ集合体プロバイダ(tag collection provider)３０８（例えば、個人タグ集合体プロバイダ）を含むことができる。タグ集合体プロバイダ３０８は、第１ユーザーに関連する１組の個人タグ集合体３０２にアクセスすることができる。１組の個人タグ集合体３０２は、第１ユーザーによって#Carsタグとタグ付けされた１つ以上のタグ付き検索結果（例えば、第１デバイス上で第１アプリケーションを通じて第１ユーザーによって#Carsタグとタグ付けされたタグ付き自動車論評サイト検索結果、第３デバイスを介して第１ユーザーによって#Carsタグとタグ付けされたタグ付きスポーツ・カー画像検索結果、第１デバイスの第２アプリケーションを通じて第１ユーザーによって#Carsタグとタグ付けされたタグ付き自動車製造会社検索結果等）を含むCars個人タグ集合体３０４、第１ユーザーによって#Summerタグとタグ付けされた１つ以上のタグ付き検索結果を含むSummer個人タグ集合体３０６、タワー検索結果２１８のタグ付き履歴を含むSightSeeing個人タグ集合体２１４（例えば、図２Ｂによって示したような第１デバイスを介して第１ユーザーによってタグ付けされた）、および／または図示しない他の個人タグ集合体を含むことができる。
【００２２】
[0039]  第２デバイス（例えば、第１ユーザーがCars個人タグ集合体３０４内にあるタグ付き検索結果の少なくとも一部にタグ付けしたときに使用した第１デバイスおよび／または第３デバイスとは異なる）が、検索アプリ３１０をホストすることができる。検索アプリ３１０は、モード検索インターフェースを設けることができ、これを通じて、第１ユーザーは検索クエリーを提出して検索結果を求めること、および／またはタグ付き検索結果を求めるタグ検索を提出することができる（例えば、タグ検索は、検索クエリーからタグ検索を差別化する＃のようなタグ識別子を含むとよい）。一例では、タグ集合体プロバイダ３０８は、第１ユーザーによって検索アプリ３１０を通じて提出された自動車タグ検索３１２を受けることができる。自動車タグ検索３１２は、Cars個人タグ集合体３０４に対応する#Carタグを含む。したがって、タグ集合体プロバイダ３０８は、第１ユーザーに、第２デバイスを介したCars個人タグ集合体３０４へのアクセスを与えることができる。このように、第１ユーザーは、このようなタグ付き検索結果を最初に識別するために使用される１つ以上の検索クエリーを手作業でリコールする必要なく、タグ付き検索結果にアクセスする（例えば、リコールする）ことができる（例えば、第１ユーザーは、タグ付き自動車論評サイト検索結果、タグ付きスポーツ・カー画像検索結果、および／またはタグ付き自動車製造会社検索結果の発見に繋がる検索クエリーを思い出し、および／または再提出する代わりに、自動車タグ検索３１２を単に提出することによって、異なるデバイスを使用して多数の日にわたってタグ付けされたかもしれない、タグ付き検索結果にアクセスすることができる）。
【００２３】
[0040]  図４は、１組の公開タグ集合体４０２へのアクセスを与えるためのシステム４００の一例を示す。システム４００は、タグ集合体プロバイダ４０８（例えば、公開タグ集合体プロバイダ）を含むことができる。タグ集合体プロバイダ４０８は、１組の公開タグ集合体４０２と関連付けることができる。１組の公開タグ集合体４０２は、SightSeeing公開タグ集合体２１６、Trees公開タグ集合体４０４、ILoveCats公開タグ集合体４０６、および／または図示しない幅広い種々の他の公開タグ集合体というような、１人以上のユーザーによって投稿された複数の公開タグ集合体を含むことができる。一例では、１人以上のユーザーがSightSeeing公開タグ集合体２１６に投稿したとしてもよい（例えば、第１ユーザーが第１デバイスからタワー検索結果２２０のタグ付き履歴にタグ付けしたのでもよく、第２ユーザーが第２デバイスからタグ付き*パリ・タワー画像検索結果にタグ付けしたのでもよい等）。
【００２４】
[0041]  第３デバイスが検索アプリ４１０をホストすることもできる。検索アプリ４１０は、モード検索インターフェースを提供することができ、これを通じて、第３ユーザーが検索クエリーを提出して検索結果を求めること、および／またはタグ検索を提出してタグ付き検索結果を求めることができる。一例では、タグ集合体プロバイダ４０８は、第３ユーザーによって検索アプリ４１０を通じて提出された、#SightSeeingタグに対応するタグ検索４１２を受けることができる。したがって、タグ集合体プロバイダ４０８は、第３ユーザーに、第３デバイスを通じたSightSeeing公開タグ集合体２１６へのアクセスを与えることができる。このように、第３ユーザーは、第３ユーザーおよび／または他のユーザーによってタグ付けされたのかもしれないタグ付き検索結果を調べることができる（例えば、第３ユーザーは、第３ユーザーが検索結果を#SightSeeingタグとタグ付けしたかしていないかには関係なく、間近に迫っている休暇のためのアイデアを得るために、SightSeeing公開タグ集合体２１６を調査することができる）。
【００２５】
[0042]  検索結果のタグ付けを容易にする実施形態を、図５の方法例５００によって示す。５０２において、本方法が開始する。５０４において、第１検索クエリーの受入に応答して、この第１検索クエリーに基づいて１組の検索結果を提供することができる。例えば、第１ユーザーが第１検索クエリー「休暇」を提出するのでもよく、「休暇」に関係する可能性がある１つ以上の検索結果を提示することができる（例えば、海岸画像検索結果、ソーシャル・ネットワーク休暇ポスト検索結果、休暇目的地ビデオ検索結果、休暇旅行記電子メール検索結果等）。１組の検索結果は、第１検索結果（たとえば、休暇目的地ビデオ検索結果）、第２検索結果（例えば、旅行代理店ソーシャル・ネットワーク・プロファイル検索結果）、および／または他の検索結果を含むことができる。
【００２６】
[0043]  １つ以上のタグ提案を、１組の検索結果に対して提示することができる。例えば、５０６においてタグ提案を第１検索結果に対して提供することができる。タグ提案は第１タグを指定することができる。例えば、＃FunTravelビデオのタグ提案は、#FunTravelVideoタグを指定し、休暇目的地ビデオ検索結果に対して提示することができる（例えば、タグ提案は、ユーザーのFunTravelVideo個人タグ集合体、および／またはFunTravelVideo公開タグ集合体に基づくことができる）。一例では、タグ提案は、第２ユーザーのFunTravelVideo個人タグ集合体に基づくこともでき、第２ユーザーが休暇目的地ビデオ検索結果を#FunTravelVideoタグとタグ付けしたことを示す。他の例では、タグ提案は、FunTravelVideo公開タグ集合体に基づくこともでき、複数のユーザーが休暇目的地ビデオ検索結果を#FunTravelVideoタグとタグ付けしたことを示す。第１ユーザーが未だ休暇目的地ビデオ検索結果を#FunTravelVideoタグとタグ付けしていない場合、#FunTravelVideoのタグ提案をオフ状態（例えば、強調しない）で表示することができ、そうでない場合、#FunTravelVideoのタグ提案をオン状態（例えば、強調）で表示することができる。一例では、多数のタグ提案を第１検索結果に対して提示することもできる。例えば、第２タグ提案を第１検索結果に対して提示してもよい。第２タグ提案は第２タグを指定することができる。例えば、#BeachVideoの第２タグ提案を休暇目的地ビデオ検索結果に対して提示してもよい。一例では、タグ提案は、１組の検索結果内にある多数の検索結果に対して提示してもよい（例えば、１つ以上のタグ提案を第２検索結果に対して提示してもよく、１つ以上のタグ提案を第３検索結果に提示してもよい等）。
【００２７】
[0044]  ５０８において、第１ユーザーによるタグ提案の１クリック・ユーザー入力（例えば、第１ユーザーがメニューをナビゲートしなければならない、および／または検索結果にタグ付けするために多数の入力を実行しなければならないのではなく、１回のユーザー入力または他の比較的単純なユーザー入力）を受けたことに応答して、第１検索結果を第１タグとタグ付けして、第１タグ付き検索結果を作成することができる。例えば、休暇目的地ビデオ検索結果を#FunTravelVideoタグとタグ付けして、第１ユーザーによる１回の入力に基づいて、タグ付き目的地ビデオ検索結果を作成することができる（例えば、第１ユーザーは単に#FunTravelVideoのタグ提案にタッチするまたはこれをクリックすればよい）。一例では、第１タグ付き検索結果は、第１ユーザーによって第１タグとタグ付けされた１つ以上のタグ付き検索結果を格納するように構成された第１個人タグ集合体に編成される。例えば、タグ付き検索結果を個人タグ集合体に編成する第１ユーザーの個人的選好を示すユーザー・タグ付けモデルに基づいて、第１タグ付き検索結果を第１個人タグ集合体に編成することができる。他の例では、１人以上のユーザーによって第１タグとタグ付けされた１つ以上のタグ付き検索結果を格納するように構成された第１公開タグ集合体に、第１タグ付き検索結果を編成することができる。例えば、タグ付き検索結果を公開タグ集合体に編成する第１ユーザーの公開共有選好(public sharing preference)を示すユーザー・タグ付けモデルに基づいて、第１タグ付き検索結果を第１公開タグ集合体に編成すことができる。
【００２８】
[0045]  ある実施形態では、第１ユーザーが秘密で第１タグ付き検索結果を１人以上のユーザーと共有することもできる。一例では、第１ユーザーは、第２ユーザー（例えば、他のユーザーを除く）が第１タグ付き検索結果を見ることができるように、第１タグ付き検索結果のリンクを第２ユーザーに送ることができる。他の例では、秘密共有設定を第１ユーザーから受けることもできる。秘密共有設定は、１人以上のユーザーを、第１タグ付き検索結果にアクセスできるものとして指定することもできる。このように、秘密共有設定に基づいて、第１タグ付き検索結果をユーザー・アクセスのために（例えば、選択的に、制御可能に等）露出することができる。
【００２９】
[0046]  ある実施形態では、第１タグ付き検索結果および／または他のタグ付き検索結果は、ユーザー認証してまたはユーザー認証せずに、いずれのブラウザーおよび／またはいずれのデバイスからのアクセスのためにも、利用可能にすることもできる（例えば、比較的即座に利用可能にする）。一例では、第１ユーザーが、デバイス（例えば、公衆デバイスであり、第１ユーザーはこのデバイスを介してログイン信任状を提出することを望まないこともあり得る）から第１タグ付き検索結果および／または他の同様にタグ付けされた検索結果にアクセスするには、タグ・クエリー#FunTravelVideo@FirstUserをこのデバイス上のブラウザーまたは他のタイプの検索メカニズムに提出することによって行うことができる。他の例では、第１ユーザーは、第１ユーザーによってタグ付けされた第１タグ付き検索結果および／または他のタグ付き検索結果にアクセスするためにログインすることができる。このように、ユーザーは、所望のやり方で（例えば、素早く、任意のデバイス上で、任意のブラウザーを通じて、ログイン信任状を提示してまたはせずに等）タグ付きコンテンツにアクセスすることができる。
【００３０】
[0047]  ある実施形態では、第１ユーザー（例えば、あるいは第１ユーザーまたは管理者によって許可されたユーザー）が、タグ付き検索結果に関連する種々の編成機能を実行することもできる。一例では、ユーザーは第１タグ付き検索結果からタグを外す、および／または第１タグ付き検索結果を削除することもできる。他の例では、第１ユーザーが、タグの記述を含むコメント・フィールドを供給することによって、タグにコンテキストを追加することもできる。他の例では、第１ユーザーが、タグ付き検索結果についての記述を含むコメント・フィールドを供給することによって、タグ付き検索結果にコンテキストを追加することもできる。
【００３１】
[0048]  ある実施形態では、ユーザーは他のユーザーのタグ付け活動(tagging activity)を追跡こともできる。例えば、第１ユーザーが、第１タグ付き検索結果のような検索結果にタグ付けしたときに第２ユーザーが通知を受けることができるように、第２ユーザーが第１ユーザーを追跡することができる。ある実施形態では、ユーザーは特定のタグに関連するタグ付け活動を追跡することもできる。例えば、第１ユーザーは、他のユーザーが第１タグを使用したときに、タグ付け活動の通知を受けることができる。第１ユーザーはこのような通知を受けることを「予約する」ことができ、および／または第１ユーザーが検索結果を第１タグとタグ付けしたことに基づいて、このような通知を自動的に受けることもできる。このように、ユーザーは、秘密に、個人的に、および／または公に、タグ付け情報にアクセスする、タグ付け情報を編成する、および／またはタグ付け情報を共有することができる。５１０において、この方法は終了する。
【００３２】
[0049]  図６は、検索結果のタグ付けを容易にするために構成されたシステム６００の一例を示す。システム６００は、タグ付けコンポーネント６０２を含むことができる。第１ユーザーによるタグ付けアクション(tagging action)の前に、タグ付けコンポーネント６０２を、検索アプリ６０２ａのような、検索機能と関連付けることができる。第１検索クエリー６０４「新車モデル」を受けたことに応答して、検索アプリ６０２ａは、第１検索クエリー６０４「新車モデル」に基づいて、１組の検索結果を提供することができる。例えば、１組の検索結果は、自動車製造会社ウェブサイト検索結果６０６、自動車論評会社ソーシャル・ネットワーク・プロファイル検索結果６０８、および／または図示しない他の検索結果を含むことができる。タグ付けコンポーネント６０２は、自動車製造会社ウェブサイト検索結果６０６に対して#Carsというタグ提案６１０を提示することができる。第１ユーザーが自動車製造会社ウェブサイト検索結果６０６を#Carsタグと既にタグ付けしてあるので、自動車製造会社ウェブサイト検索結果６０６が既に第１ユーザーによって#Carsタグとタグ付けされたことを示すために、#Carsというタグ提案６１０をオン状態で表示することができる。タグ付けコンポーネント６０２は、１人以上のユーザーが自動車論評会社ソーシャル・ネットワーク・プロファイル検索結果６０８を#AutoFriendタグとタグ付けしたことに基づいて、自動車論評会社ソーシャル・ネットワーク・プロファイル検索結果６０８に対して#AutoFriendというタグ提案６１２ａを提示することができる。第１ユーザーは自動車論評会社ソーシャル・ネットワーク・プロファイル検索結果６０８を未だ#AutoFriendタグとタグ付けしていないので、#AutoFriendというタグ提案６１２ａをオフ状態で表示することができる。
【００３３】
[0050]  #AutoFriendというタグ提案６１２ａに関連する、第１ユーザーによる１クリック・ユーザー入力を受けたことに応答して、自動車論評会社ソーシャル・ネットワーク・プロファイル検索結果６０８を#AutoFriendタグとタグ付けすることができる。第１ユーザーが自動車論評会社ソーシャル・ネットワーク・プロファイル検索結果６０８を#AutoFriendタグとタグ付けしてあるので、検索アプリ６０２ｂのタグ提案６１２ｂとして示すように、#AutoFriendというタグ提案６１２ａをオン状態で表示することができる。このように、第１ユーザーは、メニュー・ナビゲーション、多数回のクリック、および／または多数回のキーストロークというような多数回の入力ではなく、１回の入力を利用して検索結果にタグ付けすることができる。ある実施形態では、タグ付けコンポーネント６０２は、タグ作成インターフェース（例えば、タグ作成インターフェース６１４）を設けることができ、これを通じて、第１ユーザーは、図７に示すように、検索結果にタグ付けするためのタグを作成することができる。
【００３４】
[0051]  図７は、検索結果のタグ付けを容易にするために構成されたシステム７００の一例を示す。システム７００は、タグ付けコンポーネント７０２を含むことができる。第１ユーザーによるタグ付けアクションの前に、タグ付けコンポーネント７０２を、検索アプリ７０２ａのような、検索機能と関連付けることができる。第１検索クエリー７０４「新車モデル」を受けたことに応答して、検索アプリ７０２ａは、第１検索クエリー７０４「新車モデル」に基づいて、１組の検索結果を提供することができる。例えば、１組の検索結果は、自動車製造会社ウェブサイト検索結果７０６、自動車論評会社ソーシャル・ネットワーク・プロファイル検索結果７０８、および／または図示しない他の検索結果を含むことができる。タグ付けコンポーネント７０２は、自動車製造会社ウェブサイト検索結果に対して#Carsというタグ提案をオン状態で提示することができる。これは、第１ユーザーが以前に自動車製造会社ウェブサイト検索結果７０６を#Carsタグとタグ付けしたからであろう。タグ付けコンポーネント７０２は、自動車論評会社ソーシャル・ネットワーク・プロファイル検索結果７０８に対して#AutoFriendというタグ提案をオフ状態で提示することができる。何故なら、第１ユーザーは自動車論評会社ソーシャル・ネットワーク・プロファイル検索結果７０８を#AutoFriendタグとタグ付けしていないからである。
【００３５】
[0052]  タグ付けコンポーネント７０２は、自動車論評会社ソーシャル・ネットワーク・プロファイル検索結果７０８に対してタグ作成インターフェース７１０を設けることができる。第１ユーザーによってタグ作成インターフェース７１０を通じて作成された#MyNewFriendタグ７１２のような第１タグを受けたことに応答して、自動車論評会社ソーシャル・ネットワーク・プロファイル検索結果７０８を#MyNewFriendタグ７１２とタグ付けして、タグ付き自動車論評会社ソーシャル・ネットワーク・プロファイル検索結果７０８を作成することができる。第１ユーザーは自動車論評会社ソーシャル・ネットワーク・プロファイル検索結果７０８を#MyNewFriendタグ７１２とタグ付けしてあるので、検索アプリ７０２ｂにおけるタグ提案７１４として示すように、#AutoFriendというタグ提案をオフ状態からオン状態に移行させることができる。
【００３６】
[0053]  図８は、第１ユーザー・プロファイル８０２の一例８００を示す。第１ユーザー・プロファイル８０２は、検索結果にタグ付けする第１ユーザーに関連する情報を含むことができる。一例では、第１ユーザー・プロファイル８０２は、第１ユーザーによって#Carタグとタグ付けされた１つ以上の検索結果を含むCar個人タグ集合体のような、第１ユーザーに関連する１つ以上の個人タグ集合体を含む１組の個人タグ集合体８０４を含むことができる。他の例では、第１ユーザー・プロファイル８０２は、第１ユーザーが、他のユーザーによってこのような検索結果にタグ付けするために使用されるタグと同様であるタグと車種検索結果をタグ付けするときに、比較的高い精度を有するようであることを示す「９４」の自動車タグ付け精度評価、第１ユーザーが、改築形式(renovation type)検索結果にタグ付けするとき比較的低い精度を有するようであることを示す「６７」の改築タグ付け精度評価（例えば、第１ユーザーは、他のユーザーによってこのような検索結果にタグ付けするために使用されるタグとは異なるタグを改築形式検索結果とタグ付けしたのかもしれず、第１ユーザーは、他のユーザーと同じタグの一部を使用したが、異なる検索結果をこれらのタグとタグ付けしたのかもしれない等）等というような、１つ以上のタグ付け精度評価を含む１組のタグ付け精度評価８０６を含むことができる。タグ付け精度評価は、閾値数の他のユーザーも、第１ユーザーによって検索結果にタグ付けするために使用されたタグと検索結果をタグ付けした（例えば、ユーザーの９０％が、第１ユーザーと共に、スポーツ・カー画像を車種タグとタグ付けした）という判定に基づいて上げることができ、逆に、タグ付け精度評価を下げることもできる（例えば、ユーザーの９０％がスポーツ・カー画像を車種タグとタグ付けしたが、第１ユーザーはスポーツ・カー画像を#MyNewCareerとタグ付けした）。バッジ授与閾値よりも高いタグ付け精度評価に基づいて、バッジを第１ユーザーに授与することができる。例えば、「９４」の自動車タグ付け精度評価に基づいて、自動車バッジ・レベルＩＩ８１４を授与することができる。
【００３７】
[0054]  他の例では、ユーザー・タグ付けモデル８０８を第１ユーザー・プロファイル８０２内部で維持することもできる。ユーザー・タグ付けモデル８０８は、第１ユーザーが、３６％の時間だけ、個人タグ集合体への編成のために検索結果にタグ付けしたいことを示す個人選好８１０を含むことができる。ユーザー・タグ付けモデル８０８は、第１ユーザーが６４％の時間にわたり、公開タグ集合体への編成のために検索結果にタグ付けしたいことを示す公開共有選好(public sharing preference)８１２を含むことができる。このように、ユーザー・タグ付けモデル８０８を評価して、第１ユーザーによってタグ付けされたタグ付き検索結果を、個人タグ集合体および／または公開タグ集合体に編成するか否か決定することができる。他の例では、検索結果コンテンツ・タイプ８１６を維持することもできる。検索結果コンテンツ・タイプ８１６は、第１ユーザーがタグ付けしたコンテンツのタイプを示すことができる（例えば、第１ユーザーによってタグ付けされた検索結果の６０％は画像であり、第１ユーザーによってタグ付けされた検索結果の２５％はＵＬＲである等）。検索結果コンテンツ・タイプ８１６を評価して、タグ集合体を第１ユーザーに表示するレイアウトを決定することができる（例えば、第１ユーザーが比較的大きな割合の画像にタグ付けしたことを示す検索結果コンテンツ・タイプ８１６に基づいて、個人タグ集合体を雑誌レイアウトとして表示することができる（例えば、個人タグ集合体が単に画像だけを含むのではなくても、画像が表示されるかのように、ＵＲＬ、テキスト等が雑誌レイアウトにおいて表示されるように（例えば、フォーマットされて）、個人タグ集合体を雑誌レイアウトとして表示することができる）。タグ集合体を表示するためには、画像用の雑誌レイアウト、ビデオ用のビデオ・プレビュー・レイアウト（例えば、ビデオを再生するために使用される複数のビデオ・プレビュー・タイル）、ＵＲＬ用のリスト・レイアウト、記事のような文字情報用のテキスト・リーダ・レイアウト（例えば、仮想書籍）等というように、種々のタイプのレイアウトを使用することができる。
【００３８】
[0055]  １つ以上のタグ集合体を維持する実施形態を、図９の方法例９００によって示す。９０２において、この方法が開始する。第１ユーザーの代わりに１つ以上の個人タグ集合体を作成する、および／または維持することができる。９０４において、第１検索結果を第１タグとタグ付けした第１ユーザーを識別したことに応答して、第１個人タグ集合体を、第１タグに対して生成することができる。例えば、第１ユーザーは、住宅設計者ウェブサイト検索結果にタグ付けするために#BasementIdeasタグを作成することができる。BasementIdeas個人タグ集合体は、第１ユーザーによって#BasementIdeasタグとタグ付けされたタグ付き検索結果の格納のために作成することができる。９０６において、第１検索結果を、第１タグ付き検索結果として、第１個人タグ集合体に編成する。このように、第１ユーザーは、任意のデバイスから、タグ付き検索結果を編成、共有、および／またはアクセスすることができる。多数のタグ付き検索結果を編成する一例では、第１ユーザーが第２検索結果を第１タグとタグ付けしたことに応答して、第２検索結果を、第２タグ付き検索結果として、第１個人タグ集合体に編成することができる（例えば、第１ユーザーは、カーペット画像検索結果を#BasementIdeasタグとタグ付けしたとしてもよい）。
【００３９】
[0056]  ある実施形態では、１つ以上の個人タグ集合体を第１ユーザーのために維持することができる。一例では、第３検索結果を第２タグとタグ付けした第１ユーザーを識別したことに応答して、第２個人タグ集合体を第２タグに対して生成することができる。例えば、第１ユーザーは、#Flooringというタグ提案に関連する１クリック・ユーザー入力を実行することによって、カーペット画像検索結果を#Flooringタグとタグ付けすることができる。カーペット画像検索結果は、タグ付きカーペット画像検索結果として、Flooring個人タグ集合体に編成することができる。第１ユーザーは、図１０に示すように、個人タグ集合体インターフェースを通じて、１つ以上の個人タグ集合体にアクセスすることができる。
【００４０】
[0057]  ある実施形態では、第１タグ付き検索結果を、第１タグに関連付けられた第１公開タグ集合体に編成することができる。例えば、BasementIdeas公開タグ集合体は、１人以上のユーザーによって#BasementIdeasタグとタグ付けされた１つ以上のタグ付き検索結果を含むことができる。BasementIdeas公開タグ集合体は、図１１に示すように、公開タグ集合体インターフェースを通じてアクセス可能にすることができる。このように、ユーザーは、他のユーザーによってタグ付けされたタグ付き検索コンテンツを編成、共有、および／または調査することができる。９０８において、この方法は終了する。
【００４１】
[0058]  図１０は、１つ以上の個人タグ集合体へのアクセスを与えるためのシステム１０００の一例を示す。システム１０００は、個人タグ集合体コンポーネント１００２および／またはクエリー・コンポーネント１０１４を含む。個人タグ集合体コンポーネント１００２は、Cars個人タグ集合体１００６（例えば、第１ユーザーによって＃Carsタグとタグ付けされた１つ以上のタグ付き検索結果を含む）、SightSeeing個人タグ集合体１００８（例えば、第１ユーザーによって＃SightSeeingタグとタグ付けされた１つ以上のタグ付き検索結果を含む）、Summer個人タグ集合体１０１０（例えば、第１ユーザーによって＃Summerタグとタグ付けされた１つ以上のタグ付き検索結果を含む）等というような、第１ユーザーに関連する１つ以上の個人タグ集合体を維持するように構成することができる。
【００４２】
[0059]  個人タグ集合体コンポーネント１００２は、個人タグ集合体インターフェース１００４を通じて１つ以上の個人タグ集合体へのアクセスをユーザーに与えるように構成することができる。一例では、クエリー・コンポーネント１０１４は第１ユーザーからタグ検索を受けるように構成することができる。タグ検索は、＃Summerタグのような、第１タグを指定することができる。個人タグ集合体コンポーネント１００２は、第１ユーザーに、タグ付き地元醸造所検索結果、タグ付き陽気な映画検索結果、タグ付きサラ(Sarah)ソーシャル・ネットワーク・プロファイル検索結果、および／またはSummer個人タグ集合体１０１０内に編成された他のタグ付き検索結果へのアクセスを与えることができる。他の例では、第１ユーザーは、個人タグ集合体インターフェース１００４を通じて、個人タグ集合体およびタグ付き検索結果を見る、並び替える、および／または共有することもできる。一例では、個人タグ集合体インターフェース１００４は、それぞれの個人タグ集合体に関連するタグ・カウントを与えることができる（例えば、合計で１５のタグ付き検索結果がCars個人タグ集合体１００６に編成されたことに基づいて、Cars個人タグ集合体１００６に１５のタグ・カウントを与えることができる）。一例では、個人タグ集合体インターフェース１００４は、どんなユーザーが第１ユーザーを追跡しているかの指示というような、フォロワー関係情報１０１２を提供することができる（例えば、第１ユーザーによって行われたタグ・アクションを、ジェーン、ブラッド、コリーン、およびジャックに関連するタグ・ニュース・フィード内に表示することができる）。
【００４３】
[0060]  図１１は、１つ以上の公開タグ集合体へのアクセスを与えるためのシステム１１００の一例を示す。システム１１００は、クエリー・コンポーネント１１０２および／または公開タグ集合体コンポーネント１１０４を含むことができる。公開タグ集合体コンポーネント１１０４は、公開タグ集合体インターフェース１１０６を第１ユーザーに提供するように構成することができる。第１ユーザーは、第１ユーザーが公開タグ集合体に投稿したか否かには関係なく、公開タグ集合体インターフェース１１０６を通じて、ユーザーによるタグ付き検索結果を発見および／または調査することができる。クエリー・コンポーネント１１０２は、タグ識別子＃（例えば、検索結果を求める一般的な（例えば、タグなし）検索クエリーに対応するのではない）に基づいてタグ検索１１０８として識別された＃Treesタグのような、第１タグを指定するタグ検索１１０８を受けるように構成することができる。公開タグ集合体コンポーネント１１０４は、タグ検索１１０８に基づいて、第１ユーザーに、公開タグ集合体インターフェース１１０６を通じて、#Treesタグに対応する#Trees公開タグ集合体へのアクセスを与えることができる。一例では、タグ集合体ニュースフィード(tag collection newsfeed)１１１０を、公開タグ集合体インターフェース１１０６を通じて第１ユーザーに提供することができる。タグ集合体ニュースフィード１１１０は、検索結果を#Treesタグとタグ付けした１人以上のユーザーに関連する１つ以上のタグ更新を含むことができる（例えば、１つ以上のタグ更新を、最新のタグを先頭にするというような時間的順序付けにしたがって表示することもできる）。第１公開タグ集合体は、比較的大量のタグ付け情報を含むことができるので、タグ集合体ニュースフィード１１１０は、第１ユーザーが最新のユーザー活動に基づいて関連がある可能性がある最新のタグ付け活動を素早く確認することを可能にする。
【００４４】
[0061]  公開タグ集合体コンポーネント１１０４は、公開タグ集合体インターフェース１１０６を通じて１つ以上のアバター（例えば、ユーザーに関連するアイコンまたは画像）を表示するように構成することができる。アバターは、#Trees公開タグ集合体内において、#Treesタグと検索結果をタグ付けしたユーザーを表すことができる。例えば、ジェーンを表す画像（例えば、ジェーンのアバター）を、ジェーンが#Treesタグとタグ付けしたタグ付きtreehouse検索結果と関連付けて表示することができる。ユーザーを表す第１アバターの選択に応答して、１つ以上のタグ集合体および／またはユーザーに関連する他のタグ付け情報を表示することができる。例えば、ジェーンを表す画像の選択に応答して、ジェーンが検索結果にタグ付けするために使用された１つ以上のタグ１１１２を表示することができる（例えば、Trees個人タグ集合体に対応する#Treesタグ、Lovesushi公開タグ集合体に対応する#LoveSushiタグ、および／またはジェーンによって投稿された他のタグ集合体）。
【００４５】
[0062]  一例では、公開タグ集合体インターフェース１１０６を通じて上位タグ集合体ニュースフィード１１１４を提供することができる。上位タグ集合体ニュースフィード１１１４は、上位タグ閾値（例えば、５つの最も大きな公開タグ集合体）よりも大きなタグ・カウントを有する１つ以上のタグ集合体を含むことができる。他の例では、公開タグ集合体インターフェース１１０６を通じてタグ傾向ニュースフィード(tag trending newsfeed)１１１６を提供することもできる。タグ傾向ニュースフィード１１１６は、傾向閾値よりも大きな時間枠以内にタグ・カウントが増大した１つ以上のタグ集合体を含むことができる。例えば、タグ傾向ニュースフィード１１１６は、比較的多数のユーザーが最近プレーオフ・ゲームの間にFootball公開タグ集合体に投稿したことに基づいて、#Footballタグを表示することができる。
【００４６】
[0063]  一例では、公開タグ集合体コンポーネント１１０４は、ユーザーが生成したコンテンツを識別するために１つ以上のコンテンツ・ソース（例えば、ユーザーが情報を投稿することができる百科事典ウェブサイト）をクロールするように構成することができる。コンテンツ・ソースによってユーザー生成コンテンツに割り当てられた記述子を識別することができる（例えば、百科事典ウェブサイトは、大統領記述子、政治記述子、および／または戦争記述子を、大統領がどのように有名な戦争を開始したかに関する記事に割り当てることができる）。ユーザー生成コンテンツを含むＵＲＬは、記述子から導かれるタグとタグ付けされて、新たなタグ付き検索結果を生成することができる（例えば、ＵＲＬを#Presidentタグとタグ付けすることができる）。新たなタグ付き検索結果は、１人以上のユーザーによるアクセスのために公開タグ集合体（例えば、President公開タグ集合体）に追加することができる。
【００４７】
[0064]  図１２は、視覚レイアウトにしたがって１つ以上のタグ付き検索結果を表示するように構成されたシステム１２００の一例を示す。システム１２００は、クエリー・コンポーネント１２０２および／または個人タグ集合体コンポーネント１２０６を含むことができる。クエリー・コンポーネント１２０２は、第１ユーザーから（例えば、検索アプリ１２１０を通じて）時間的タグ検索１２１２を受けるように構成することができる。例えば、第１ユーザーが、この第１ユーザーが先週タグ付けしたタグ付き検索結果を確認することを望むのでもよく、検索アプリ１２１０を通じて#MyTagsLastWeekの時間的タグ検索１２１２を提出することができる。個人タグ集合体コンポーネント１２０６は、タグ付き休暇ウェブサイト検索結果１２１４、タグ付きピラミッド画像検索結果１２１６、タグ付き湖画像検索結果１２１８、タグ付きドッグ・シッター・ウェブサイト検索結果１２２０、タグ付きソーシャル・ネットワーク・ポスト検索結果１２２２、タグ付き安全旅行記事検索結果１２２４、および／またはタグ付きタワー・ビデオ検索結果１２２６というような、先週内に第１ユーザーによってタグ付けされた１つ以上のタグ付き検索結果を識別するように構成することができる。個人タグ集合体コンポーネント１２０６は、第１ユーザーがタグ付けする傾向があるコンテンツのタイプを識別するために、第１ユーザーについての第１ユーザー・プロファイル１２０４の検索結果コンテンツ・タイプを評価することができる（例えば、第１ユーザーは、他のコンテンツ・タイプよりも画像に多くタグ付けする傾向がある）。画像に対応する検索結果コンテンツ・タイプに基づいて、個人タグ集合体コンポーネント１２０６は、雑誌レイアウト１２０８にしたがって、１つ以上の検索結果を表示することができる（例えば、検索結果の一部が画像でなくても）。尚、検索結果を表示するためには、テキスト・リーダー・レイアウト（例えば、仮想書籍レイアウト、テキスト・エディタ・レイアウト、新聞レイアウト等）、リスト・レイアウト、ビデオ・プレビュー・レイアウト（例えば、第１ユーザーがビデオを見るために対話処理した複数のビデオ・タイル）、格子レイアウト、および／またはこれらの組み合わせというような、 種々の視覚レイアウト・タイプを使用できることは認めることができよう。
【００４８】
[0065]  タグ付き検索結果に基づいて目標コンテンツをユーザーに提供する実施形態を、図１３の方法例１３００によって示す。１３０２において、この方法が開始する。１３０４において、１組の個人タグ集合体を第１ユーザーのために維持することができる。１組の個人タグ集合体は、第１個人タグ集合体を含むことができる。第１個人タグ集合体は、第１ユーザーによって第１タグとタグ付けされた１つ以上のタグ付き検索結果を含むことができる（例えば、#Cancunタグとタグ付けされたウェブサイト、画像、ビデオ、および／または他の検索結果）。一例では、１組の個人タグ集合体は、第１ユーザーによって第２タグとタグ付けされた１つ以上のタグ付き検索結果を含む第２個人タグ集合体というような、追加の個人タグ集合体を含むこともできる（例えば、#Beachタグとタグ付けされた検索結果）。
【００４９】
[0066]  １３０６において、第１ユーザーにとって興味深い第１の話題を、第１タグに基づいて識別することができる。例えば、第１の興味深い話題「休暇」は#Cancunタグから導き出すことができる。一例では、第１タグは、関連性閾値よりも高いタグ付き検索結果カウントを含む第１個人タグ集合体に基づいて、第１の興味深い話題の識別のために選択することができる（例えば、第１ユーザーは、複数のタグ付き検索結果を#Cancunタグとタグ付けしたのでもよく、単に１つの検索結果にタグ付けするために第１ユーザーによって使用された#TVタグとは異なり、カンクン(Cancun)が第１ユーザーにとって比較的重要であることを示すことができる）。第１の興味深い話題は、分類技法、話題のタグへのマッピング、テキスト・クラシファイア等というような、種々の技法に基づいて識別することができる。１３０８において、第１の興味深い話題に基づいて、第１目標コンテンツを第１ユーザーに提供することができる。例えば、休暇画像、休暇ウェブサイト、クルーズ奨励、タイムシェア・ビデオ、および／または第１の興味深い話題「休暇」に関連する多くの他の推奨コンテンツを識別し（例えば、広告データーベースから）、第１ユーザーに提供することができる（例えば、公開タグ集合体インターフェースを通じて、個人タグ集合体インターフェースを通じて、ソーシャル・ネットワークを通じて、検索結果ページを通じて等）。
【００５０】
[0067]  興味深い話題を識別する一例では、第１（例えば、および／または第２、第３等）個人タグ集合体（例えば、ウェブサイトの分類、画像の画像分類、ソーシャル・ネットワーク・ポストのテキスト分類等）の１つ以上のタグ付き検索結果内に含まれるコンテンツに基づいて、第２の興味深い話題を識別することもできる。例えば、第１個人タグ集合体内にある１つ以上のタグ付き検索結果に含まれるエンティティ（例えば、休暇リゾート・エンティティ）を識別することができる。このエンティティを含むタグ付き検索結果の数を、発生閾値と比較することができ、その数が発生閾値を超えた場合、エンティティに基づいて第２の興味深い話題が識別される（例えば、第２の興味深い話題「休暇リゾート」が識別されることが可能である。何故なら、休暇リゾート・エンティティは、少なくとも閾値数のタグ付き検索結果内に現れると思われ、したがって第１ユーザーが休暇リゾート・エンティティに関心があり得ることを示すからである）。このように、第２の興味深い話題「休暇リゾート」に基づいて、第２目標コンテンツ（例えば、休暇リゾート用の休暇予約インターフェース）を第１ユーザーに提供することができる。
【００５１】
[0068]  興味深い話題を識別する他の例では、１組の個人タグ集合体に関連する２つ以上のタグを集計することに基づいて、第３の興味深い話題を識別することもできる。例えば、#Cancunタグおよび／または#Cancunタグとタグ付けされた１つ以上のタグ付き検索結果を評価することに基づいて、熱帯休暇カテゴリーというようなカテゴリーを#Cancunタグに決定することができる。#Beachタグが、第２タグとして、熱帯休暇カテゴリーに対応する#Beachタグに基づいて識別されることも可能である。第１タグおよび第２タグは同じカテゴリーに対応するので（例えば、熱帯休暇カテゴリーが#Cancunタグおよび#Beachタグによって共有されるので、#Cancunタグおよび#Beachタグを関係付けることができる）、このようなタグを一緒に集計して、第３の興味深い話題「熱帯休暇」のような第３の興味深い話題を識別することができる。このように、第３目標コンテンツ（例えば、熱帯の保養地の広告）を、第３の興味深い話題に基づいて、第１ユーザーに提供することができる。
【００５２】
[0069]  興味深い話題を識別する一例では、第１個人タグ集合体の１つ以上のタグ付き検索結果（例えば、#Cancunタグとタグ付けされたタグ付き検索結果のコンテンツ）を第２個人タグ集合体の１つ以上のタグ付き検索結果（例えば、#Beachタグとタグ付けされたタグ付き検索結果のコンテンツ）と集計することに基づいて、第４の興味深い話題を識別することもできる。例えば、１組の個人タグ集合体、およびその中にあるタグ付き検索結果を、１つ以上の二部グラフとして表すことができる。１つ以上の二部グラフを精査して、第１個人タグ集合体、第２個人タグ集合体、および／またはその他の個人タグ集合体がカテゴリーに対応し、第４の興味深い話題をカテゴリーから導き出せると判断することができる。このように、第４の興味深い話題に基づいて、第４目標コンテンツを第１ユーザーに提供することができる。
【００５３】
[0070]  一例では、第１ユーザーについてのユーザー・プロファイルを維持することができる。ユーザー・プロファイルは、第１ユーザーに関連する１組の興味深い話題を含むことができる。このように、目標コンテンツは、ユーザー・プロファイルに基づいて、選択的に第１ユーザーに提供することができる。１３１０において、本方法は終了する。
【００５４】
[0071]  図１４は、第１ユーザーに関連する１組の興味深い話題１４１６を識別するためのシステム１４００の一例を示す。システム１４００は、話題生成コンポーネント１４１４を含むことができる。話題生成コンポーネント１４１４は、タグ、タグ付き検索結果、および／または第１ユーザーの第１ユーザー・プロファイル１４０２内部にある個人タグ集合体を評価するように構成することができる。例えば、第１ユーザー・プロファイル１４０２は、Cars個人タグ集合体１４０４、SightSeeing個人タグ集合体１４０６、Summer個人タグ集合体１４０８、Biking個人タグ集合体１４１０、Travel個人タグ集合体１４１２、および／または第１ユーザーによってタグ付けされたタグ付き検索結果を含む他の個人タグ集合体を含むことができる。
【００５５】
[0072]  話題生成コンポーネント１４１４は、Travel個人タグ集合体１４１２に関連付けられた#Travelタグに基づいて、第１の興味深い話題１４１８「旅行」を識別することができる。話題生成コンポーネント１４１４は、Travel個人タグ集合体１４１２の１つ以上のタグ付き検索結果（例えば、および／または他の個人タグ集合体（１つまたは複数））内に含まれるコンテンツに基づいて、タグ付きマヤ遺跡ビデオ検索結果というような、第２の興味深い話題１４２０「メキシコの休暇」を識別することができる。話題生成コンポーネント１４１４は、Cars個人タグ集合体１４０４の#Carsタグと、Biking個人タグ集合体１４１０の#Bikingタグとを集計することに基づいて、第３の興味深い話題１４２２「自動車」を識別するように構成することができる。話題生成コンポーネント１４１４は、タグ付き海岸検索結果およびタグ付きマヤ遺跡ビデオ検索結果のような、旅行個人タグ集合体１４１２の１つ以上の検索結果を、タグ付きピラミッド画像検索結果およびタワー検索結果のタグ付き履歴のような、SightSeeing個人タグ集合体１４０６の１つ以上の検索結果と集計することに基づいて、第４の興味深い話題１４２４「世界旅行」を識別するように構成することができる。また、１つ以上の個人タグ集合体の１つ以上のタグを、１つ以上の個人タグ集合体内にある１つ以上のタグ付き検索結果と集計して、１つ以上の興味深い話題を識別することもできる。このように、１組の興味深い話題１４１６を生成することができる。
【００５６】
[0073]  図１５は、タグ付き検索結果に基づいて、目標コンテンツをユーザーに提供するためのシステム１５００の一例を示す。システム１５００は、コンテンツ・プロバイダ１５０４を含む。コンテンツ・プロバイダ１５０４は、タグ検索１５０８によって指定された#SightSeeingタグに対応するタグ付き検索結果というような、タグ付き検索結果にアクセスするために第１ユーザーによって使用される検索アプリ１５０６と関連付けることができる。コンテンツ・プロバイダ１５０４は、第１ユーザーに関連する興味深い話題を識別するように構成することができる。例えば、コンテンツ・プロバイダ１５０４は、 #Travelタグ、および／または#Travelタグとタグ付けされたタグ付きマヤ遺跡ビデオ検索結果に基づいて、第２の興味深い話題１５０２「メキシコの休暇」を識別することができる。このように、コンテンツ・プロバイダ１５０４は、インターフェースを提供する第１目標コンテンツ１５１０を表示することができ、このインターフェースを通じて第１ユーザーはカンクン旅行を予約することができ、マヤ遺跡についての教室へのリンクを提供する第２目標コンテンツ１５１２を表示することができ、および／またはその他の目標コンテンツを表示することができる。
【００５７】
[0074]  更に他の実施形態は、本明細書において紹介した技法の内１つ以上を実現するように構成されたプロセッサー実行可能命令を含むコンピューター読み取り可能媒体も含む。これらの方法で考案されるコンピューター読み取り可能媒体またはコンピューター読み取り可能デバイスの実施形態例を図１６に示し、実施態様１６００は、ＣＤ−Ｒ、ＤＶＤ−Ｒ、フラッシュ・ドライブ、ハード・ディスク・ドライブのプラッター等のようなコンピューター読み取り可能媒体１６０８を含み、その上にコンピューター読み取り可能データー１６０６がエンコードされる。一方、ゼロまたは１の少なくとも１つを含む二進データーのような、このコンピューター読み取り可能データー１６０６は、本明細書において明記した原理の１つ以上にしたがって動作するように構成された１組のコンピューター命令１６０４を構成する。ある実施形態では、プロセッサー実行可能コンピューター命令１６０４は、例えば、図１の方法例１００の少なくとも一部、図５の方法例５００の少なくとも一部、図９の方法例９００の少なくとも一部、および／または図１３の方法例１３００の一部というような、方法１６０２を実行するように構成される。ある実施形態では、プロセッサー実行可能コンピューター命令１６０４は、例えば、図２Ａのシステム例２５０の少なくとも一部、図２Ｂのシステム例２００の少なくとも一部、図３のシステム例３００の少なくとも一部、図４のシステム例４００の少なくとも一部、図６のシステム例６００の少なくとも一部、図７のシステム例７００の少なくとも一部、図１０のシステム例１０００の少なくとも一部、図１１のシステム例１１００の少なくとも一部、図１２のシステム例１２００の少なくとも一部、図１４のシステム例１４００の少なくとも一部、および／または図１５のシステム例１５００の少なくとも一部というような、システムを実現するように構成される。多くのこのようなコンピューター読み取り可能媒体は、当業者によって考案され、本明細書において紹介した技法にしたがって動作するように構成される。
【００５８】
[0075]  本主題については、構造的特徴および／または方法論的行為に特定的な文言で説明したが、添付した特許請求の範囲において定められる主題は、必ずしも以上で説明した具体的な特徴や行為には限定されないことは理解されよう。逆に、以上で説明した具体的な特徴や行為は、特許請求の範囲を実現する形態例として開示されたまでである。
【００５９】
[0076]  本願において使用する場合、「コンポーネント」、「モジュール」、「システム」、「インターフェース」および／または等の用語は、一般に、ハードウェア、ハードウェアおよびソフトウェアの組み合わせ、ソフトウェア、または実行中のソフトウェアのいずれかである、コンピューター関係エンティティに言及することを意図している。例えば、コンポーネントは、プロセッサーにおいて実行するプロセス、プロセッサー、オブジェクト、実行可能ファイル、実行のスレッド、プログラム、および／またはコンピューターであってもよいが、これらに限定されるのではない。例示として、コントローラーにおいて実行するアプリケーション、およびこのコントローラーの双方がコンポーネントであることができる。１つ以上のコンポーネントが１つのプロセスおよび／または実行のスレッド内に存在することもでき、コンポーネントは、１つのコンピューターに局在すること、および／または２つ以上のコンピューター間で分散されるのでもよい。
【００６０】
[0077]  更に、特許請求する主題は、開示した主題を実現するためにコンピューターを制御するソフトウェア、ファームウェア、ハードウェア、またはその任意の組み合わせを生成するための標準的なプログラミングおよび／または設計技法を使用して、方法、装置、または製品として実現することもできる。「製品」という用語は、本明細書において使用される場合、任意のコンピューター読み取り可能デバイス、キャリア、または媒体からアクセス可能なコンピューター・プログラムを包含することを意図している。勿論、特許請求する主題の範囲または主旨から逸脱することなく、この構成には多くの変更が行われてもよいことを、当業者は認めるであろう。
【００６１】
[0078]  図１７および以下の説明(discussion)は、本明細書において明示した発明(provision)の１つ以上の実施形態を実現するのに適した計算環境の端的で総合的な説明に供する。図１７の動作環境は、適した動作環境の一例に過ぎず、動作環境の使用範囲や機能に関して限定を示唆する意図は全くない。計算デバイスの例には、パーソナル・コンピューター、サーバ・コンピューター、ハンドヘルドまたはラップトップ・デバイス、移動体デバイス（移動体電話機、パーソナル・ディジタル・アシスタント（ＰＤＡ）、メディア・プレーヤー等）、マルチプロセッサー・システム、消費者用電子機器、ミニ・コンピューター、メインフレーム・コンピューター、以上のシステムまたはデバイスの内任意のものを含む分散型計算環境等が含まれるが、これらに限定されるのではない。
【００６２】
[0079]  必須ではないが、実施形態は、１つ以上の計算デバイスによって実行される「コンピューター読み取り可能命令」という一般的なコンテキストで説明される。コンピューター読み取り可能命令は、コンピューター読み取り可能媒体（以下で論ずる）によって流通させることができる。コンピューター読み取り可能命令は、関数、オブジェクト、アプリケーション・プログラミング・インターフェース（ＡＰＩ）、データー構造等というような、プログラム・モジュールとして実現することができ、特定のタスクを実行するか、または特定の抽象データー型を実装する。通例、コンピューター読み取り可能命令の機能は、種々の環境において所望される通りに、組み合わせることまたは分散させることができる。
【００６３】
[0080]  図１７は、本明細書において提供した１つ以上の実施形態を実現するように構成された計算デバイス１７１２を含むシステム１７１０の一例を示す。一構成では、計算デバイス１７１２は少なくとも１つの処理ユニット１７１６とメモリー１７１８とを含む。計算デバイスの正確な構成およびタイプに依存して、メモリー１７１８は、揮発性（例えば、ＲＡＭのような）、不揮発性（例えば、ＲＯＭ、フラッシュ・メモリー等のような）、またはこれら２つの何らかの組み合わせであってもよい。この構成は、図１７では破線１７１４によって示される。
【００６４】
[0081]  他の実施形態では、デバイス１７１２は追加の機構（feature)および／または機能を含むこともできる。例えば、デバイス１７１２は、磁気ストレージ、光ストレージ等を含むがこれらに限定されない追加のストレージ（例えば、リムーバブルおよび／または非リムーバブル）も含むことができる。このような追加のストレージは、図１７ではストレージ１７２０によって示される。一実施形態では、本明細書において提供した１つ以上の実施形態を実現するコンピューター読み取り可能命令は、ストレージ１７２０内にあってもよい。また、ストレージ１７２０は、オペレーティング・システム、アプリケーション・プログラム等を実現するための他のコンピューター読み取り可能命令も格納することができる。コンピューター読み取り可能命令は、例えば、処理ユニット１７１６による実行のために、メモリー１７１８にロードすることができる。
【００６５】
[0082]  「コンピューター読み取り可能媒体」という用語は、本明細書において使用する場合、コンピューター記憶媒体を含む。コンピューター記憶媒体は、揮発性および不揮発性の、リムーバブルおよび非リムーバブル媒体を含み、コンピューター読み取り可能命令または他のデーターのような情報の格納のための任意の方法または技術で実現される。メモリー１７１８およびストレージ１７２０は、コンピューター記憶媒体の例である。コンピューター記憶媒体は、ＲＡＭ、ＲＯＭ、ＥＥＰＲＯＭ、フラッシュ・メモリーまたは他のメモリー技術、ＣＤ−ＲＯＭ、ディジタル・バーサタイル・ディスク（ＤＶＤ）または他の光ストレージ、磁気カセット、磁気テープ、磁気ディスク記憶デバイスまたは他の磁気記憶デバイス、あるいは所望の情報を格納するために使用することができデバイス１７１２によってアクセスすることができる任意の他の媒体を含むが、これらに限定されるのではない。このようなコンピューター記憶媒体はいずれも、デバイス１７１２の一部であることができる。
【００６６】
[0083]  また、デバイス１７１２は、デバイス１７１２が他のデバイスと通信することを可能にする通信接続（１つまたは複数）１７２６も含むことができる。通信接続（１つまたは複数）１７２６は、モデム、ネットワーク・インターフェース・カード（ＮＩＣ）、統合ネットワーク・インターフェース、無線周波数送信機／受信機、赤外線ポート、ＵＳＢ接続、または計算デバイス１７１２を他の計算デバイスに接続するための他のインターフェースを含むことができるが、これらに限定されるのではない。通信接続（１つまたは複数）１７２６は、有線接続またはワイヤレス接続を含むことができる。通信接続（１つまたは複数）１７２６は、通信媒体を送信および／または受信することができる。
【００６７】
[0084]  「コンピューター読み取り可能媒体」という用語は、通信媒体を含むことができる。通信媒体は、通例、搬送波のような「変調データー信号」または他の移送メカニズムにコンピューター読み取り可能命令または他のデーターを具体化し、あらゆる情報配信媒体を含む。「変調データー信号」という用語は、この信号に情報をエンコードするような仕方でその特性の１つ以上が設定または変化させられた信号を含むことができる。
【００６８】
[0085]  デバイス１７１２は、キーボード、マウス、ペン、音声入力デバイス、タッチ入力デバイス、赤外線カメラ、ビデオ入力デバイス、および／またはあらゆる他の入力デバイスというような、入力デバイス（１つまたは複数）１７２４を含むことができる。また、１つ以上のディスプレイ、スピーカー、プリンター、および／またはあらゆる他の出力デバイスというような出力デバイス（１つまたは複数）１７２２も、デバイ１７１２に含むことができる。入力デバイス（１つまたは複数）１７２４および出力デバイス（１つまたは複数）１７２２は、有線接続、ワイヤレス接続、またはそのいずれかの組み合わせによって、デバイス１７１２に接続することができる。一実施形態では、他の計算デバイスからの入力デバイスまたは出力デバイスを計算デバイス１７１２の入力デバイス（１つまたは複数）１７２４または出力デバイス（１つまたは複数）１７２２として使用することもできる。
【００６９】
[0086]  計算デバイス１７１２のコンポーネントは、バスのような種々の相互接続によって接続されてもよい。このような相互接続は、PCI Expressのような周辺コンポーネント相互接続（ＰＣＩ）、ユニバーサル・シリアル・バス（ＵＳＢ）、firewire（ＩＥＥＥ１３１０４）、光バス構造等を含むことができる。他の実施形態では、計算デバイス１７１２のコンポーネントは、ネットワークによって相互接続されてもよい。例えば、メモリー１７１８は、ネットワークによって相互接続された異なる物理位置に配置された多数の物理メモリー・ユニットで構成されてもよい。
【００７０】
[0087]  当業者は、コンピューター読み取り可能命令を格納するために利用される記憶デバイスをネットワークを跨がって分散させてもよいことを認めるであろう。例えば、ネットワーク１７２８を介してアクセス可能な計算デバイス１７３０が、本明細書において提要した１つ以上の実施形態を実現するためのコンピューター読み取り可能命令を格納することもできる。計算デバイス１７１２は、計算デバイス１７３０にアクセスし、実行のために、コンピューター読み取り可能命令の一部または全部をダウンロードすることができる。あるいは、計算デバイス１７１２は、必要に応じて、コンピューター読み取り可能命令の複数の部分(pieces)をダウンロードすることもでき、即ち、一部の命令を計算デバイス１７１２において実行し、一部を計算デバイス１７３０において実行することもできる。
【００７１】
[0088]  本明細書においては、実施形態の種々の動作を示した。一実施形態では、説明した動作の１つ以上が、１つ以上のコンピューター読み取り可能媒体上に格納されたコンピューター読み取り可能命令を構成することができ、計算デバイスによって実行されると、この計算デバイスに、説明した動作を実行させる。これらの動作の一部または全部を説明した順序は、これらの動作が必然的に順序に依存することを暗示するように解釈してはならない。この説明の恩恵を得た当業者には、代わりの順序付けも認められよう。更に、本明細書において示した各実施形態において、必ずしも全ての動作があるとは限らないことは理解されよう。
【００７２】
[0089]  更に、別段指定されない限り、「第１」、「第２」、および／またはその他は、時間的態様、空間的態様、順序付け等を含意することは意図していない。逆に、このような用語は、単に、特徴、エレメント、項目等に対する識別子、名称等として使用される。例えば、第１物体および第２物体は、一般に、物体Ａおよび物体Ｂ、あるいは２つの異なるまたは２つの同一の(identical)物体、あるいは同じ(same)物体に対応する。
【００７３】
[0090]  更に、「一例の」という単語は、本明細書では例、実例、または例示等として役割を果たすことを意味するために使用され、必ずしも有利であることを意味する訳ではない。本願において使用する場合、「または」という用語は、排他的な「または」ではなく、包含的な「または」を意味することを意図している。 加えて、本願において使用する場合、単数形を対象にすることが別段明示されていない限り、または文脈から明らかでない限り、「ａ」および「ａｎ」は、一般に、「１つ以上」を意味すると解釈することとする。また、ＡおよびＢ等(and/or the like)の少なくとも１つは、通常、ＡまたはＢあるいはＡおよびＢ双方を意味する。更に、「含む」(includes)、「有する」(having, has)、「と」(with)という用語またはこれらの変形が詳細な説明または特許請求の範囲において使用される限りにおいて、このような用語は、「備える」(comprising)という用語と同様に、包含的であることを意図している。
【００７４】
[0091]  また、本開示は、１つ以上の実施態様に関して示し説明したが、本明細書および添付図面の読解(reading and understanding)に基づいて、同等の変形(alteration)および変更(modification)が当業者には想起されよう。本開示は、このような変更および変形を全て含み、以下の請求項の範囲によってのみ限定されるものとする。特に、以上で説明したコンポーネント（例えば、エレメント、リソース等）によって実行される種々の機能に関して、このようなコンポーネントを説明するために使用された用語は、別段指示されていなければ、説明されたコンポーネントの指定された機能を実行するあらゆるコンポーネント（例えば、機能的に同等なコンポーネント）に対応することを意図しており、本明細書において例示された本開示の実施態様例において当該機能を実行する、開示された構造と構造的に同等でなくてもよい。加えて、本開示の特定的な特徴について、様々な実施態様の内１つだけに関して開示したが、このような特徴は、あらゆる所与のまたは特定の用途に望まれるようにまたは有利になるように、他の実施態様の１つ以上の他の特徴と組み合わせることもできる。
【図１】
0006564364.tif 000002
【図２Ａ】
0006564364.tif 000003
【図２Ｂ】
0006564364.tif 000004
【図３】
0006564364.tif 000005
【図４】
0006564364.tif 000006
【図５】
0006564364.tif 000007
【図６】
0006564364.tif 000008
【図７】
0006564364.tif 000009
【図８】
0006564364.tif 000010
【図９】
0006564364.tif 000011
【図１０】
0006564364.tif 000012
【図１１】
0006564364.tif 000013
【図１２】
0006564364.tif 000014
【図１３】
0006564364.tif 000015
【図１４】
0006564364.tif 000016
【図１５】
0006564364.tif 000017
【図１６】
0006564364.tif 000018
【図１７】
0006564364.tif 000019